【手続補正書】
【提出日】平成17年11月17日(2005.11.17)
【手続補正１】
【補正対象書類名】明細書
【補正対象項目名】発明の名称
【補正方法】変更
【補正の内容】
【発明の名称】無線カード、無線カードシステム及び無線カード処理装置
【手続補正２】
【補正対象書類名】明細書
【補正対象項目名】特許請求の範囲
【補正方法】変更
【補正の内容】
【特許請求の範囲】
【請求項１】  無線カード処理装置とこの無線カード処理装置の読取可能エリア内に存在する複数の無線カードとの間で無線通信を行い、少なくとも１回以上マルチリードコマンドを無線カード処理装置から無線カードへ送信する無線カードシステムにおいて、
上記無線カード処理装置からのマルチリードコマンドが供給された際に、マルチリードコマンドに含まれるタイムスロット数に基づいて、レスポンス応答時刻を設定する第１の設定手段と、
この第１の設定手段による設定時刻になった際に、ＩＤ番号を含むレスポンスを上記無線カード処理装置へ送信する送信手段と、
上記無線カード処理装置からのノンマルチリードコマンドが供給された際に、ノンマルチリードコマンドに含まれる認識番号に基づいて、マルチリードコマンドに対するレスポンス応答不要を設定する第２の設定手段と、
上記第１の設定手段、送信手段、第２の設定手段を制御する制御回路と、
この制御回路が設けられている本体と、
から構成されることを特徴とする無線カード。
【請求項２】  無線カード処理装置とこの無線カード処理装置の読取可能エリア内に存在する複数の無線カードとの間で無線通信を行い、少なくとも１回以上マルチリードコマンドを無線カード処理装置から無線カードへ送信する無線カードシステムにおいて、
上記無線カード処理装置が、
任意に変更可能なタイムスロット数を含むマルチリードコマンドを上記無線カードへ送信する第１の送信手段と、
この第１の送信手段によるマルチリードコマンドに応答する各タイムスロットごとに上記無線カードからのＩＤ番号を含むレスポンスを受信する受信手段と、
上記第１の送信手段によるマルチリードコマンドに含まれるタイムスロット数に対する上記受信手段による受信終了後、上記受信手段により受信したレスポンスに対応して、ＩＤ番号を含むノンマルチリードコマンドを上記無線カードへ送信する第２の送信手段と、
上記読取可能エリアの複数の無線カードに対する読取処理の終了か否かを判断する判断手段と、
この判断手段により読取処理の終了が判断されなかった際に、上記第１の送信手段、上記受信手段、上記第２の送信手段が繰り返される処理手段とからなり、
上記無線カードが、
上記無線カード処理装置からのマルチリードコマンドが供給された際に、マルチリードコマンドに含まれるタイムスロット数に基づいて、レスポンス応答時刻を設定する第１の設定手段と、
この第１の設定手段による設定時刻になった際に、ＩＤ番号を含むレスポンスを上記無線カード処理装置へ送信する第３の送信手段と、
上記無線カード処理装置からのノンマルチリードコマンドが供給された際に、ノンマルチリードコマンドに含まれる認識番号に基づいて、マルチリードコマンドに対するレスポンス応答不要を設定する第２の設定手段とからなる、
ことを特徴とする無線カードシステム。
【請求項３】  無線カード処理装置とこの無線カード処理装置の読取可能エリア内に存在する複数の無線カードとの間で無線通信を行い、少なくとも１回以上マルチリードコマンドを無線カード処理装置から無線カードへ送信する無線カードシステムにおいて、
上記無線カード処理装置が、
任意に変更可能なタイムスロット数を含むマルチリードコマンドを上記無線カードへ送信する第１の送信手段と、
この第１の送信手段によるマルチリードコマンドに応答する各タイムスロットごとに上記無線カードからのＩＤ番号を含むレスポンスを受信する受信手段と、
上記第１の送信手段によるマルチリードコマンドに含まれるタイムスロット数に対する上記受信手段による受信終了後、上記受信手段により受信したレスポンスに対応して、ＩＤ番号を含むノンマルチリードコマンドを上記無線カードへ送信する第２の送信手段と、
少なくとも２回以上連続してマルチリードコマンドに対する無線カードからのレンポンスが無い場合に、無線カードに対する読取処理の終了を判断する判断手段と、
この判断手段により読取処理の終了が判断されなかった際に、上記第１の送信手段、上記受信手段、上記第２の送信手段が繰り返される処理手段とからなり、
上記無線カードが、
上記無線カード処理装置からのマルチリードコマンドが供給された際に、マルチリードコマンドに含まれるタイムスロット数に基づいて、レスポンス応答時刻を設定する第１の設定手段と、
この第１の設定手段による設定時刻になった際に、ＩＤ番号を含むレスポンスを上記無線カード処理装置へ送信する第３の送信手段と、
上記無線カード処理装置からのノンマルチリードコマンドが供給された際に、ノンマルチリードコマンドに含まれる認識番号に基づいて、マルチリードコマンドに対するレスポンス応答不要を設定する第２の設定手段とからなる、
ことを特徴とする無線カードシステム。
【請求項４】  無線カード処理装置とこの無線カード処理装置の読取可能エリア内に存在する複数の無線カードとの間で無線通信を行い、少なくとも１回以上マルチリードコマンドを無線カード処理装置から無線カードへ送信する無線カードシステムにおいて、
上記無線カード処理装置が、
任意に変更可能なタイムスロット数を含むマルチリードコマンドを上記無線カードへ送信する第１の送信手段と、
この第１の送信手段によるマルチリードコマンドに応答する各タイムスロットごとに上記無線カードからのＩＤ番号を含むレスポンスを受信する受信手段と、
上記第１の送信手段によるマルチリードコマンドに含まれるタイムスロット数に対する上記受信手段による受信終了後、上記受信手段により受信したレスポンスに対応して、ＩＤ番号を含むノンマルチリードコマンドを上記無線カードへ送信する第２の送信手段と、
上記受信手段によりレスポンスを受信した無線カードの数に基づいて上記第１の送信手段による次回のマルチリードコマンドに含まれるタイムスロット数を決定する決定手段と、
上記読取可能エリアの複数の無線カードに対する読取処理の終了か否かを判断する判断手段と、
この判断手段により読取処理の終了が判断されなかった際に、上記第１の送信手段、上記受信手段、上記第２の送信手段が繰り返される処理手段とからなり、
上記無線カードが、
上記無線カード処理装置からのマルチリードコマンドが供給された際に、マルチリードコマンドに含まれるタイムスロット数に基づいて、レスポンス応答時刻を設定する第１の設定手段と、
この第１の設定手段による設定時刻になった際に、ＩＤ番号を含むレスポンスを上記無線カード処理装置へ送信する第３の送信手段と、
上記無線カード処理装置からのノンマルチリードコマンドが供給された際に、ノンマルチリードコマンドに含まれる認識番号に基づいて、マルチリードコマンドに対するレスポンス応答不要を設定する第２の設定手段とからなる、
ことを特徴とする無線カードシステム。
【請求項５】  上記決定手段が、
無線カード数に対応するタイムスロット数を記憶する記憶手段と、
上記受信手段によりレスポンスを受信した無線カードの数に対応するタイムスロット数を上記記憶手段から読出し、この読出したタイムスロット数を上記第１の送信手段による次回のマルチリードコマンドに含まれるタイムスロット数に設定する設定手段とからなる
ことを特徴とする請求項４に記載の無線カードシステム。
【請求項６】  上記決定手段が、
１つのマルチリードコマンドにおけるタイムスロット数とレスポンスを受信した無線カード数との比率に対応するタイムスロット数を記憶する記憶手段と、
上記第１の送信手段により送信したマルチリードコマンドのタイムスロット数と上記受信手段によりレスポンスを受信した無線カードの数との比率に対応するタイムスロット数を上記記憶手段から読出し、この読出したタイムスロット数を上記第１の送信手段による次回のマルチリードコマンドに含まれるタイムスロット数に設定する設定手段とからなる
ことを特徴とする請求項４に記載の無線カードシステム。
【請求項７】  無線カード処理装置とこの無線カード処理装置の読取可能エリア内に存在する複数の無線カードとの間で無線通信を行い、少なくとも１回以上マルチリードコマンドを無線カード処理装置から無線カードへ送信する無線カードシステムにおいて、
上記無線カード処理装置が、
上記読取可能エリア内の無線カードの数を判断する第１の判断手段と、
この第１の判断手段による無線カードの数に基づいて、マルチリード開始時に送信されるマルチリードコマンドのタイムスロット数を決定する第１の決定手段と、
この第１の決定手段により決定されたタイムスロット数を含むマルチリードコマンドを上記無線カードへ送信し、次回以降は任意に変更可能なタイムスロット数を含むマルチリードコマンドを上記無線カードへ送信する第１の送信手段と、
この第１の送信手段によるマルチリードコマンドに応答する各タイムスロットごとに上記無線カードからのＩＤ番号を含むレスポンスを受信する受信手段と、
上記第１の送信手段によるマルチリードコマンドに含まれるタイムスロット数に対する上記受信手段による受信終了後、上記受信手段により受信したレスポンスに対応して、ＩＤ番号を含むノンマルチリードコマンドを上記無線カードへ送信する第２の送信手段と、
上記受信手段によりレスポンスを受信した無線カードの数に対応するタイムスロット数を上記記憶手段から読出し、この読出したタイムスロット数を上記第１の送信手段による次回のマルチリードコマンドに含まれるタイムスロット数に設定する第１の設定手段と、
上記読取可能エリアの複数の無線カードに対する読取処理の終了か否かを判断する第２の判断手段と、
この第２の判断手段により読取処理の終了が判断されなかった際に、上記第１の送信手段、上記受信手段、上記第２の送信手段が繰り返される処理手段とからなり、
上記無線カードが、
上記無線カード処理装置からのマルチリードコマンドが供給された際に、マルチリードコマンドに含まれるタイムスロット数に基づいて、レスポンス応答時刻を設定する第１の設定手段と、
この第１の設定手段による設定時刻になった際に、ＩＤ番号を含むレスポンスを上記無線カード処理装置へ送信する第３の送信手段と、
上記無線カード処理装置からのノンマルチリードコマンドが供給された際に、ノンマルチリードコマンドに含まれる認識番号に基づいて、マルチリードコマンドに対するレスポンス応答不要を設定する第２の設定手段とからなる、
ことを特徴とする無線カードシステム。
【請求項８】  上記第１の判断手段が、上記読取可能エリア内の無線カードの重量により、無線カードの数が所定数以上か否かを判断することを特徴とする請求項７に記載の無線カードシステム。
【請求項９】  無線カード処理装置とこの無線カード処理装置の読取可能エリア内に存在する複数の無線カードとの間で無線通信を行い、少なくとも１回以上マルチリードコマンドを無線カード処理装置から無線カードへ送信する無線カードシステムにおいて、
上記無線カード処理装置が、
無線カードの数に基づいたマルチリードコマンドごとのタイムスロット数のパターンを記憶する記憶手段と、
上記読取可能エリア内の無線カードの数を判断する第１の判断手段と、
この第１の判断手段による無線カードの数に基づいて、上記記憶手段からマルチリードコマンドごとのタイムスロット数のパターンを読出し、この読出したタイムスロット数を含むマルチリードコマンドを順次上記無線カードへ送信する第１の送信手段と、
この第１の送信手段によるマルチリードコマンドに応答する各タイムスロットごとに上記無線カードからのＩＤ番号を含むレスポンスを受信する受信手段と、
上記第１の送信手段によるマルチリードコマンドに含まれるタイムスロット数に対する上記受信手段による受信終了後、上記受信手段により受信したレスポンスに対応して、ＩＤ番号を含むノンマルチリードコマンドを上記無線カードへ送信する第２の送信手段とからなり、
上記無線カードが、
上記無線カード処理装置からのマルチリードコマンドが供給された際に、マルチリードコマンドに含まれるタイムスロット数に基づいて、レスポンス応答時刻を設定する第１の設定手段と、
この第１の設定手段による設定時刻になった際に、ＩＤ番号を含むレスポンスを上記無線カード処理装置へ送信する第３の送信手段と、
上記無線カード処理装置からのノンマルチリードコマンドが供給された際に、ノンマルチリードコマンドに含まれる認識番号に基づいて、マルチリードコマンドに対するレスポンス応答不要を設定する第２の設定手段とからなる、
ことを特徴とする無線カードシステム。
【請求項１０】  上記記憶手段に記憶される無線カードの数に基づいたマルチリードコマンドごとのタイムスロット数のパターンが、複数の無線カードを実際に読取り、この読取開始から終了までの時間を測定して最短時間のパターンを求めて決定されることを特徴とする請求項９に記載の無線カードシステム。
【請求項１１】  読取可能エリア内に存在する複数の無線カードとの間で無線通信を行い、少なくとも１回以上マルチリードコマンドを無線カードへ送信する無線カード処理装置において、
任意に変更可能なタイムスロット数を含むマルチリードコマンドを上記無線カードへ送信する第１の送信手段と、
この第１の送信手段によるマルチリードコマンドに応答する各タイムスロットごとに上記無線カードからのＩＤ番号を含むレスポンスを受信する受信手段と、
上記第１の送信手段によるマルチリードコマンドに含まれるタイムスロット数に対する上記受信手段による受信終了後、上記受信手段により受信したレスポンスに対応して、ＩＤ番号を含むノンマルチリードコマンドを上記無線カードへ送信する第２の送信手段と、
上記読取可能エリアの複数の無線カードに対する読取処理の終了か否かを判断する判断手段と、
この判断手段により読取処理の終了が判断されなかった際に、上記第１の送信手段、上記受信手段、上記第２の送信手段が繰り返される処理手段と、
を具備したことを特徴とする無線カード処理装置。
【請求項１２】  読取可能エリア内に存在する複数の無線カードとの間で無線通信を行い、少なくとも１回以上マルチリードコマンドを無線カードへ送信する無線カード処理装置において、
任意に変更可能なタイムスロット数を含むマルチリードコマンドを上記無線カードへ送信する第１の送信手段と、
この第１の送信手段によるマルチリードコマンドに応答する各タイムスロットごとに上記無線カードからのＩＤ番号を含むレスポンスを受信する受信手段と、
上記第１の送信手段によるマルチリードコマンドに含まれるタイムスロット数に対する上記受信手段による受信終了後、上記受信手段により受信したレスポンスに対応して、ＩＤ番号を含むノンマルチリードコマンドを上記無線カードへ送信する第２の送信手段と、
少なくとも２回以上連続してマルチリードコマンドに対する無線カードからのレンポンスが無い場合に、無線カードに対する読取処理の終了を判断する判断手段と、
この判断手段により読取処理の終了が判断されなかった際に、上記第１の送信手段、上記受信手段、上記第２の送信手段が繰り返される処理手段と、
を具備したことを特徴とする無線カード処理装置。
【請求項１３】  読取可能エリア内に存在する複数の無線カードとの間で無線通信を行い、少なくとも１回以上マルチリードコマンドを無線カードへ送信する無線カード処理装置において、
任意に変更可能なタイムスロット数を含むマルチリードコマンドを上記無線カードへ送信する第１の送信手段と、
この第１の送信手段によるマルチリードコマンドに応答する各タイムスロットごとに上記無線カードからのＩＤ番号を含むレスポンスを受信する受信手段と、
上記第１の送信手段によるマルチリードコマンドに含まれるタイムスロット数に対する上記受信手段による受信終了後、上記受信手段により受信したレスポンスに対応して、ＩＤ番号を含むノンマルチリードコマンドを上記無線カードへ送信する第２の送信手段と、
上記受信手段によりレスポンスを受信した無線カードの数に基づいて上記第１の送信手段による次回のマルチリードコマンドに含まれるタイムスロット数を決定する決定手段と、
上記読取可能エリアの複数の無線カードに対する読取処理の終了か否かを判断する判断手段と、
この判断手段により読取処理の終了が判断されなかった際に、上記第１の送信手段、上記受信手段、上記第２の送信手段が繰り返される処理手段と、
を具備したことを特徴とする無線カード処理装置。
【請求項１４】  上記決定手段が、
無線カード数に対応するタイムスロット数を記憶する記憶手段と、
上記受信手段によりレスポンスを受信した無線カードの数に対応するタイムスロット数を上記記憶手段から読出し、この読出したタイムスロット数を上記第１の送信手段による次回のマルチリードコマンドに含まれるタイムスロット数に設定する設定手段とからなる
ことを特徴とする請求項１３に記載の無線カード処理装置。
【請求項１５】  上記決定手段が、
１つのマルチリードコマンドにおけるタイムスロット数とレスポンスを受信した無線カード数との比率に対応するタイムスロット数を記憶する記憶手段と、
上記第１の送信手段により送信したマルチリードコマンドのタイムスロット数と上記受信手段によりレスポンスを受信した無線カードの数との比率に対応するタイムスロット数を上記記憶手段から読出し、この読出したタイムスロット数を上記第１の送信手段による次回のマルチリードコマンドに含まれるタイムスロット数に設定する設定手段とからなる
ことを特徴とする請求項１３に記載の無線カード処理装置。
【請求項１６】  読取可能エリア内に存在する複数の無線カードとの間で無線通信を行い、少なくとも１回以上マルチリードコマンドを無線カードへ送信する無線カード処理装置において、
上記読取可能エリア内の無線カードの数を判断する第１の判断手段と、
この第１の判断手段による無線カードの数に基づいて、マルチリード開始時に送信されるマルチリードコマンドのタイムスロット数を決定する第１の決定手段と、
この第１の決定手段により決定されたタイムスロット数を含むマルチリードコマンドを上記無線カードへ送信し、次回以降は任意に変更可能なタイムスロット数を含むマルチリードコマンドを上記無線カードへ送信する第１の送信手段と、
この第１の送信手段によるマルチリードコマンドに応答する各タイムスロットごとに上記無線カードからのＩＤ番号を含むレスポンスを受信する受信手段と、
上記第１の送信手段によるマルチリードコマンドに含まれるタイムスロット数に対する上記受信手段による受信終了後、上記受信手段により受信したレスポンスに対応して、ＩＤ番号を含むノンマルチリードコマンドを上記無線カードへ送信する第２の送信手段と、
上記受信手段によりレスポンスを受信した無線カードの数に基づいて上記第１の送信手段による次回のマルチリードコマンドに含まれるタイムスロット数を決定する第２の決定手段と、
上記読取可能エリアの複数の無線カードに対する読取処理の終了か否かを判断する第２の判断手段と、
この第２の判断手段により読取処理の終了が判断されなかった際に、上記第１の送信手段、上記受信手段、上記第２の送信手段が繰り返される処理手段と、
を具備したことを特徴とする無線カード処理装置。
【請求項１７】  上記第１の判断手段が、上記読取可能エリア内の無線カードの重量により、無線カードの数が所定数以上か否かを判断することを特徴とする請求項１６に記載の無線カード処理装置。
【請求項１８】  読取可能エリア内に存在する複数の無線カードとの間で無線通信を行い、少なくとも１回以上マルチリードコマンドを無線カードへ送信する無線カード処理装置において、
無線カードの数に基づいたマルチリードコマンドごとのタイムスロット数のパターンを記憶する記憶手段と、
上記読取可能エリア内の無線カードの数を判断する第１の判断手段と、
この第１の判断手段による無線カードの数に基づいて、上記記憶手段からマルチリードコマンドごとのタイムスロット数のパターンを読出し、この読出したタイムスロット数を含むマルチリードコマンドを順次上記無線カードへ送信する第１の送信手段と、
この第１の送信手段によるマルチリードコマンドに応答する各タイムスロットごとに上記無線カードからのＩＤ番号を含むレスポンスを受信する受信手段と、
上記第１の送信手段によるマルチリードコマンドに含まれるタイムスロット数に対する上記受信手段による受信終了後、上記受信手段により受信したレスポンスに対応して、ＩＤ番号を含むノンマルチリードコマンドを上記無線カードへ送信する第２の送信手段と、
を具備したことを特徴とする無線カード処理装置。
【請求項１９】  上記記憶手段に記憶される無線カードの数に基づいたマルチリードコマンドごとのタイムスロット数のパターンが、複数の無線カードを実際に読取り、この読取開始から終了までの時間を測定して最短時間のパターンを求めて決定されることを特徴とする請求項１８に記載の無線カード処理装置。
【手続補正３】
【補正対象書類名】明細書
【補正対象項目名】００２２
【補正方法】変更
【補正の内容】
【００２２】
この発明は、無線カード処理装置とこの無線カード処理装置の読取可能エリア内に存在する複数の無線カードとの間で無線通信を行うものにおいて、マルチリード時に、タイムスロット数が固定値のものでは、通信時間と処理において無駄な時間が生じているという欠点を除去するもので、通信時間と処理に対する無駄な時間を省くことができ、従来と比較して各無線カードのカードデータの読取り時間の大幅な短縮化が図れる無線カード、無線カードシステム及び無線カード処理装置を提供することを目的としている。
【手続補正４】
【補正対象書類名】明細書
【補正対象項目名】００２３
【補正方法】変更
【補正の内容】
【００２３】
【課題を解決するための手段】
この発明の無線カードは、無線カード処理装置とこの無線カード処理装置の読取可能エリア内に存在する複数の無線カードとの間で無線通信を行い、少なくとも１回以上マルチリードコマンドを無線カード処理装置から無線カードへ送信する無線カードシステムにおいて、上記無線カード処理装置からのマルチリードコマンドが供給された際に、マルチリードコマンドに含まれるタイムスロット数に基づいて、レスポンス応答時刻を設定する第１の設定手段と、この第１の設定手段による設定時刻になった際に、ＩＤ番号を含むレスポンスを上記無線カード処理装置へ送信する送信手段と、上記無線カード処理装置からのノンマルチリードコマンドが供給された際に、ノンマルチリードコマンドに含まれる認識番号に基づいて、マルチリードコマンドに対するレスポンス応答不要を設定する第２の設定手段と、上記第１の設定手段、送信手段、第２の設定手段を制御する制御回路と、この制御回路が設けられている本体とから構成されている。
この発明の無線カードシステムは、無線カード処理装置とこの無線カード処理装置の読取可能エリア内に存在する複数の無線カードとの間で無線通信を行い、少なくとも１回以上マルチリードコマンドを無線カード処理装置から無線カードへ送信するものにおいて、上記無線カード処理装置が、任意に変更可能なタイムスロット数を含むマルチリードコマンドを上記無線カードへ送信する第１の送信手段と、この第１の送信手段によるマルチリードコマンドに応答する各タイムスロットごとに上記無線カードからのＩＤ番号を含むレスポンスを受信する受信手段と、上記第１の送信手段によるマルチリードコマンドに含まれるタイムスロット数に対する上記受信手段による受信終了後、上記受信手段により受信したレスポンスに対応して、ＩＤ番号を含むノンマルチリードコマンドを上記無線カードへ送信する第２の送信手段と、上記読取可能エリアの複数の無線カードに対する読取処理の終了か否かを判断する判断手段と、この判断手段により読取処理の終了が判断されなかった際に、上記第１の送信手段、上記受信手段、上記第２の送信手段が繰り返される処理手段とからなり、上記無線カードが、上記無線カード処理装置からのマルチリードコマンドが供給された際に、マルチリードコマンドに含まれるタイムスロット数に基づいて、レスポンス応答時刻を設定する第１の設定手段と、この第１の設定手段による設定時刻になった際に、ＩＤ番号を含むレスポンスを上記無線カード処理装置へ送信する第３の送信手段と、上記無線カード処理装置からのノンマルチリードコマンドが供給された際に、ノンマルチリードコマンドに含まれる認識番号に基づいて、マルチリードコマンドに対するレスポンス応答不要を設定する第２の設定手段とからなる。
【手続補正５】
【補正対象書類名】明細書
【補正対象項目名】０１１８
【補正方法】変更
【補正の内容】
【０１１８】
【発明の効果】
以上詳述したように、この発明によれば、通信時間と処理に対する無駄な時間を省くことができ、従来と比較して各無線カードのカードデータの読取り時間の大幅な短縮化が図れる無線カード、無線カードシステム及び無線カード処理装置を提供できる。